(57)【要約】  本発明はビームプロジェクタの投射レンズ保護用シャッター開閉装置を提供する。  投射レンズの光出射面露出用投光口を動作モードによって選択的に開閉するように外装ケースに摺動自在に設けられたシャッター部材と、該シャッター部材を駆動させるための駆動ユニットを互いに分画された領域に配列されるように設けた構成によって、シャッター組立体の軽薄短小化及び小型軽量化を通じて低消費電力駆動が可能な壁掛け型やスタンド型のスリム型ビームプロジェクタに有効に適用できる。
2008542814.tif 000002
【特許請求の範囲】
【請求項１】
映像情報を生成してスクリーンに拡大投射するための投射レンズが内蔵され、前記投射レンズを露出させるようにオープンされた投光口が備えられる外装ケースと、
前記投光口を開閉するように前記外装ケースに往復移動可能な状態に設けられるシャッター部材と、
前記シャッター部材を往復移動させるように前記外装ケースの別に区画された領域に設けられる駆動ユニットと
を含んで構成されるビームプロジェクタの投射レンズシャッター開閉装置。
【請求項２】
前記駆動ユニットは、
前記外装ケースに設けられる正逆転駆動が可能な駆動モータと、
前記シャッター部材に設けられたラックギアとを含み、
前記駆動モータは前記シャッター部材を開閉するように前記ラックギアと動的結合されることを特徴とする請求項１に記載のビームプロジェクタの投射レンズシャッター開閉装置。
【請求項３】
前記駆動モータの出力軸に連結され、前記ラックギアに噛み合うピニオンを通じて前記駆動モータと前記ラックギアとが動的結合されることを特徴とする請求項２に記載のビームプロジェクタの投射レンズシャッター開閉装置。
【請求項４】
前記外装ケースには前記駆動ユニットを搭載して支持するための支持ブラケットがさらに設けられることを特徴とする請求項１に記載のビームプロジェクタの投射レンズシャッター開閉装置。
【請求項５】
前記ラックギアは前記シャッター部材の一側端部に一体に成形されることを特徴とする請求項２に記載のビームプロジェクタの投射レンズシャッター開閉装置。
【請求項６】
前記駆動モータと前記ピニオンとの間には少なくとも一つ以上の連結ギアとクラッチギアとが介設されることを特徴とする請求項３に記載のビームプロジェクタの投射レンズシャッター開閉装置。
【請求項７】
前記外装ケースには前記シャッター部材の往復移動を案内するためのガイド手段が備えられることを特徴とする請求項１に記載のビームプロジェクタの投射レンズシャッター開閉装置。
【請求項８】
前記ガイド手段は、
前記シャッター部材の一側端部に移動方向に形成された第１スリット状ガイドレールと、
前記第１スリット状ガイドレールに挿入されるように前記外装ケースに支持されるガイドシャフトと、
前記シャッター部材の他側端部が移動可能な状態に結合される第２スリット状ガイドレールを有し、前記外装ケースに設けられるガイドシャーシと
を含むことを特徴とする請求項７に記載のビームプロジェクタの投射レンズシャッター開閉装置。
【請求項９】
前記外装ケースには前記シャッター部材の開閉済み時自由端の回転を防止するための回転防止手段が備えられることを特徴とする請求項１に記載のビームプロジェクタの投射レンズシャッター開閉装置。
【請求項１０】
前記回転防止手段は前記外装ケースに突出して形成された少なくとも一つの突起部よりなることを特徴とする請求項９に記載のビームプロジェクタの投射レンズシャッター開閉装置。
【請求項１１】
前記シャッター部材の開閉動作時前記シャッター部材が前記外装ケースから離脱されることを防止するための離脱防止手段が備えられることを特徴とする請求項４に記載のビームプロジェクタの投射レンズシャッター開閉装置。
【請求項１２】
前記離脱防止手段は前記支持ブラケットの一端が折曲形成された突出片を含み、前記突出片は前記シャッター部材の上方に所定間隔隔てて設けられることを特徴とする請求項１１に記載のビームプロジェクタの投射レンズシャッター開閉装置。
【請求項１３】
前記外装ケースは額縁形態のパネル型外観構造を有するように成形されることを特徴とする請求項１に記載のビームプロジェクタの投射レンズ シャッター開閉装置。
【請求項１４】
映像情報を生成してスクリーンに拡大投射するための投射レンズが内蔵され、前記投射レンズを露出させるようにオープンされた投光口が備えられた額縁形態のパネル型外観構造を有する外装ケースと、前記投光口を開閉するためのシャッター開閉ユニットとを含むスリム型ビームプロジェクタにおいて、
前記シャッター開閉ユニットは、
前記投光口を開閉するように前記外装ケースに往復移動可能な状態に設けられるシャッター部材と、
前記シャッター部材を往復移動させるように前記外装ケースの別に区画された領域に配列される駆動ユニットと
を含むことを特徴とするスリム型ビームプロジェクタ。
【請求項１５】
前記駆動ユニットは、
前記外装ケースに設けられる正逆転駆動が可能な駆動モータと、
前記シャッター部材に設けられたラックギアとを含み、
前記駆動モータは前記シャッター部材を開閉するように前記ラックギアと動的結合されることを特徴とする請求項１３に記載のスリム型ビームプロジェクタ。
【請求項１６】
前記駆動モータの出力軸に連結され、前記ラックギアと噛み合うピニオンを通じて前記駆動モータと前記ラックギアとが動的結合されることを特徴とする請求項１４に記載のスリム型ビームプロジェクタ。
【請求項１７】
前記外装ケースには前記駆動ユニットを搭載して支持するための支持ブラケットがさらに設けられることを特徴とする請求項１４に記載のスリム型ビームプロジェクタ。
【請求項１８】
前記ラックギアは前記シャッター部材の一側端部に一体に成形されることを特徴とする請求項１５に記載のスリム型ビームプロジェクタ。
【請求項１９】
前記駆動モータと前記ピニオンとの間には少なくとも一つ以上の連結ギアとクラッチギアとが介設されることを特徴とする請求項１５に記載のスリム型ビームプロジェクタ。
【請求項２０】
前記外装ケースには前記シャッター部材の往復移動を案内するためのガイド手段がさらに備えられることを特徴とする請求項１４に記載のスリム型ビームプロジェクタ。
【請求項２１】
前記外装ケースには前記シャッター部材の開閉済み時自由端の回転を防止するための回転防止手段がさらに備えられることを特徴とする請求項１４に記載のスリム型ビームプロジェクタ。
【請求項２２】
前記シャッター部材の開閉動作時前記シャッター部材が前記外装ケースから離脱されることを防止するための離脱防止手段がさらに備えられることを特徴とする請求項１４に記載のスリム型ビームプロジェクタ。
【発明の詳細な説明】
【技術分野】
【０００１】
本発明は光学機器のシャッター開閉装置に係り、さらに詳しくはプロジェクタの投射レンズ保護用シャッター開閉装置、特に壁掛け型やスタンド型として使用可能なスリム型ビームプロジェクタに有効に適用可能な投射レンズシャッター開閉装置に関する。
【背景技術】
【０００２】
最近、ＨＤＴＶ放送の活性化及びホームシアター機器の市場拡大などに伴って、消費者のニーズを満足させられるように大型画面の映像情報が得られるビームプロジェクタの普及が急激に伸びつつある傾向である。
【０００３】
このようなビームプロジェクタの一典型として、例えばコンピュータに連結して主にプレゼンテーション用として活用されているビームプロジェクタが既に普及型製品として幅広く販売されている。このようなビームプロジェクタは、例えばＤＭＤ(Digital Mirror Device)や液晶表示素子(ＬＣＤ)などのような映像生成手段によって生成した映像を別の照明光を用いて大型スクリーンに拡大投射された状態にディスプレイするようになる。
【０００４】
通常、ビームプロジェクタの投射レンズは光出射面が外装ケースにオープンされるように形成された投光口に露出される。そして、前記投光口はビームプロジェクタの動作モードに応じてシャッターにより開閉されることによって、停止モード時投射レンズを遮蔽して保護できるようになっている。
【０００５】
従来のビームプロジェクタの投射レンズ保護用シャッター開閉装置に対する一例を示した図１を参照すれば、投射レンズ(図示せず)の光出射面を露出させるように前方ケース１０にオープン形成された投光口１２は平板形シャッター部材２０によって選択的に開閉される。
【０００６】
前記シャッター部材２０は前方ケース１０の背面に往復移動可能な状態に設けられる。そして、前記シャッター部材２０を往復移動させるための駆動ユニット３０は前記シャッター部材２０に搭載された状態に設けられる。
【０００７】
前記駆動ユニット３０は正逆転駆動が可能な駆動モータ３２と、該駆動モータ３２の出力軸に連結されるように設けられたギアトレイン３４と、ピニオン３６とを含んで構成される。
【０００８】
前記ピニオン３６は前方ケース１０の背面に設けられたラックギア４０と噛み合うように設けられる。そして、前記ラックギア４０はシャッター部材２０の移動方向に配置される。ここで図面の未説明符号５０及び５２は前記シャッター部材２０の往復移動をガイドするためのガイド部材を示す。
【発明の開示】
【発明が解決しようとする課題】
【０００９】
前述したような構成を有する従来のビームプロジェクタの投射レンズ保護用シャッター開閉装置によれば、シャッター部材２０が駆動ユニット３０を搭載した状態で移動する構成を有するので、シャッター組立体セットの厚みが増加して外装ケースの軽薄短小化及びスリム化作製に障害要因となる問題点がある。  
【００１０】
そして、シャッター組立体セットの自体重量増加によって駆動負荷が大きくなることによってさらに大容量のモータを使用するようになるため、消費電力を増大させて製品信頼性及び品質に悪影響を及ぼす問題点がある。 
【００１１】
また、駆動モータとコントローラとの連結電線が流動可能な状態に設けられるべきなので、電線の長さがさらに延びてコストアップと品質不安定を引き起こすなどの問題点を抱えている。
【００１２】
本発明は前述したような従来のビームプロジェクタの投射レンズ保護用シャッター開閉装置が抱えている問題点に鑑みてこれを改善するために案出されたもので、その目的は製品外形の軽薄短小化及びスリム化にさらに有効に採択できるビームプロジェクタの投射レンズシャッター開閉装置を提供するところにある。
【００１３】
本発明の他の目的は低消費電力と製造コストの節減及び品質安定の試みによって経済性及び信頼性の確保が可能なビームプロジェクタの投射レンズシャッター開閉装置を提供するところにある。
【００１４】
本発明のさらに他の目的は前述した目的を達成するためのビームプロジェクタの投射レンズシャッター開閉装置の適用によって壁掛け型やスタンド型に使用可能なスリム型ビームプロジェクタを提供するところにある。
【課題を解決するための手段】
【００１５】
前述したような目的を達成するため、本発明に係るビームプロジェクタの投射レンズシャッター開閉装置は、映像情報を生成してスクリーンに拡大投射するための投射レンズが内蔵され、前記投射レンズを露出させるようにオープンされた投光口が備えられた外装ケースと、前記投光口を開閉するように前記外装ケースに往復移動自在な状態に設けられるシャッター部材と、前記シャッター部材を往復移動させるように前記外装ケースの別に区画された領域に配列される駆動ユニットとを含んで構成される。
【００１６】
本発明によれば、前記駆動ユニットは前記外装ケースに設けられる正逆転駆動が可能な駆動モータと、前記駆動モータの出力軸に連結されるように設けられたピニオン及び該ピニオンに噛み合うように前記シャッター部材に設けられたラックギアとを含んで構成される。
【００１７】
本発明の一側面によれば、前記駆動ユニットは前記外装ケースに設けられる支持ブラケットに搭載されるように設けられることが望ましい。そして、前記ラックギアは前記シャッター部材の一側端部に一体に成形されることが望ましい。また、前記駆動モータと前記ピニオンとの間には少なくとも一つ以上の連結ギアとクラッチギアとが介設されるのが望ましい。
【００１８】
前述したような構成を有する本発明に係るビームプロジェクタの投射レンズシャッター開閉装置において、前記外装ケースには前記シャッター部材の往復移動を案内するためのガイド手段が備えられることが望ましい。
【００１９】
本発明の一側面によれば、前記ガイド手段は前記シャッター部材の一側端部に形成された第１スリット状ガイドレールと、前記第１スリット状ガイドレールに挿入され前記シャッター部材の移動軌跡を拘束するように前記外装ケースまたは前記支持ブラケットの中から選ばれたいずれか一つに直立状態に（直角に）備えられるガイドシャフトとを含んで構成されることが望ましい。
【００２０】
本発明の他の側面によれば、前記ガイド手段は前記シャッター部材の他側端部をガイドするように前記外装ケースに設けられるガイドシャーシをさらに含んで構成されることが望ましい。
【００２１】
前記ガイドシャーシは前記シャッター部材の他側端部と相補的に結合されその移動を許容するようにスリット溝状に形成された第２スリット状ガイドレールを有する。
【００２２】
本発明によれば、前記外装ケースには前記シャッター部材の開閉済み時シャッター部材の自由端が回転することを防止するための回転防止手段が備えられ、前記回転防止手段は前記外装ケースに突出して形成された突起部で構成されることが望ましい。
【００２３】
一方、本発明によれば、前記シャッター部材の開閉動作時前記シャッター部材が前記外装ケースから離脱されることを防止するための離脱防止手段をさらに含んで構成されることが望ましい。
【００２４】
前記離脱防止手段は前記支持ブラケットの一端が折曲形成された突出片を含み、前記突出片はシャッター部材と所定間隔隔てて上方に設けられるのが望ましい。
【００２５】
本発明の他の側面によれば、前記外装ケースは額縁形態のスリム型外観構造を有するように成形作製された点にその特徴がある。
【発明の効果】
【００２６】
前述したような構成を有する本発明に係るビームプロジェクタの投射レンズシャッター開閉装置によれば、次のような効果が得られる。第１に、シャッター部材と駆動ユニットとが分離された構成を有することによって、シャッター組立体セットの厚さ縮小によって外装ケースの軽薄短小化とスリム化作製がさらに容易であり有効に実現できるようになる。第２に、シャッター組立体セットの自体重量減少によって駆動負荷を減らして小型モータ採用の容易性と消費電力の節減による製品信頼性及び経済性を確保できるようになる。第３に、駆動モータとコントローラを連結させるための電線の長さを最小化して費用節減と品質向上を図ることができる。
【発明を実施するための最良の形態】
【００２７】
言及は、本発明の好ましい実施例に対して詳細になされ、その例は添付図面に明らかにされている。可能な限り、同じ参照数字が、同じあるいは同様のパーツをさすように全図面にわたって用いられるだろう。
【００２８】
以下、添付した図面に基づき本発明の望ましい実施例によるビームプロジェクタの投射レンズシャッター開閉装置を詳述する。
【００２９】
図２及び図３を参照すれば、本発明に係るビームプロジェクタの投射レンズシャッター開閉装置は、投射レンズの光出射面(図示せず)を露出させるようにオープン形成された投光口１１２を有する外装ケース１１０と、該外装ケース１１０の背面に往復移動可能な状態に設けられる平板形シャッター部材１２０と、前記外装ケース１１０の背面に支持されるように設けられ前記シャッター部材１２０を駆動させる駆動ユニット１３０とを含んで構成される。
【００３０】
本発明によれば、前記駆動ユニット１３０は正逆転駆動自在な駆動モータ１３２と、該駆動モータ１３２の出力軸端に備えられたウォームギア１３３と、該ウォームギア１３３に順次に連結されるギアトレイン１３４及びピニオン１３５と、そのピニオン１３５に噛み合うように前記シャッター部材１２０に設けられたラックギア１３６とを含んで構成される。
【００３１】
前述したような構成を有する駆動ユニット１３０は前記シャッター部材１２０と別に分画される領域に位置するように前記外装ケース１１０の背面に設けられる。
【００３２】
ここで、参照符号１４０は前記駆動ユニット１３０が搭載支持され、いわばサブアセンブリ(sub-assembly)をなすようにするための支持ブラケットを示し、本発明は前記支持ブラケット１４０の設置有無によって限定されるものではない。
【００３３】
本発明の一側面によれば、前記ラックギア１３６は前記シャッター部材１２０の一側端部に一体に形成されるように成形作製されるのが望ましい。その代わりに、前記ラックギア１３６が別作製されて前記シャッター部材１２０の一側端部に結合されるように設けられる場合もある。
【００３４】
そして、前記ギアトレイン１３４は少なくとも一つ以上の連結ギア及びクラッチギア１３７を含んで構成されることが望ましい。前記外装ケース１１０には前記シャッター部材１２０の往復移動を案内するためのガイド手段が備えられる。 
【００３５】
前記ガイド手段は前記シャッター部材１２０の一側端部に形成された第１スリット状ガイドレール１５２と、該第１スリット状ガイドレール１５２に挿入され前記シャッター部材１２０を拘束するように前記外装ケース１１０によって支持可能な状態に備えられるガイドシャフト１５４を含む。
【００３６】
そして、前記ガイド手段は前記シャッター部材１２０の他側端部が移動可能な状態に結合される第２スリット状ガイドレール１５５ａ、１５５ｂを有し、前記外装ケース１１０に設けられるガイドシャーシ１５６、１５８をさらに含んでなる。
【００３７】
一方、前記外装ケース１１０には前記シャッター部材１２０が開閉済み位置に到達する場合、前記シャッター部材１２０の自由端が回転することを防止するための回転防止手段が備えられる。  
【００３８】
本発明の一実施例によれば、前記回転防止手段は前記外装ケース１１０に突出リブ状に形成された突起部１６２、１６４よりなる。前記突起部１６２、１６４は前記シャッター部材１２０の終端を支持できるように形成された多様な形状構造の支持部材に形成できる。
【００３９】
本発明の他の側面によれば、本発明に係るビームプロジェクタのシャッター開閉装置は、前記シャッター部材１２０の往復移動時前記シャッター部材１２０が外装ケース１１０から離脱されることを防止するための離脱防止手段をさらに含んで構成される。
【００４０】
本発明の一実施例によれば、前記離脱防止手段は前記支持ブラケット１４０の一端が折曲形成された１対の突出片１７０ａ、１７０ｂよりなる。該１対の突出片１７０ａ、１７０ｂは前記シャッター部材１２０の上側から所定間隔隔てて具備される。 
【００４１】
ここで、図２に示された図面の参照符号１８１、１８２及び１８３はそれぞれ前記シャッター部材１２０の移動を拘束して止まる位置を決定づけるためのストッパを示す。
【００４２】
そして、図２及び図３の未説明参照符号１９１及び１９２はそれぞれ前記シャッター部材１２０と接触して開閉状態を認識するための開閉スイッチを示す。
【００４３】
以下、添付した図面に基づき本発明に係るビームプロジェクタの投射レンズシャッター開閉装置の動作状態を詳述する。
【００４４】
図４を参照すれば、ビームプロジェクタのメイン駆動スイッチ(図示せず)がオン(ON)状態に操作されながら、メインコントローラ(図示せず)の制御信号に応じて前記駆動モータ１３２が正方向または逆方向に駆動して前記ギアトレイン１３０とピニオン(図示せず)を順次に駆動させる。従って、前記ピニオン(図示せず)と噛み合っているラックギア１３６の直線移動が開始されると同時に、前記ラックギア１３６に結合されたシャッター部材１２０が連動し始める。次いで、前記シャッター部材１２０が第１スリット状ガイドレール１５２とガイドシャーシ１５６、１５８の第２スリット状ガイドレール(図示せず)に沿って移動することによって、前記シャッター部材１２０が開け動作を行うようになる。
【００４５】
その後、前記シャッター部材１２０のオープン移動過程において開閉スイッチ１９２が作動してメインコントローラ(図示せず)に信号情報を送り出すことによって前記駆動モータ１３２の駆動が止まるように制御される。これにより、前記シャッター部材１２０は前記投光口１１２が開口されるようにオープンさせた状態で摺動動作を止めるようになる。
【００４６】
一方、前記シャッター部材１２０の閉じ動作は前記シャッター部材１２０の前述した開け動作の逆順過程で実施され、シャッター部材１２０は逆方向に摺動移動しつつ図５のように前記投光口１１２を閉鎖させて閉じるようになる。
【００４７】
要するに、本発明に係るビームプロジェクタの投射レンズシャッター開閉装置は、シャッター部材と駆動ユニットとが互いに分離された状態に設けられることによって、シャッター部材が投光口を自動的に開閉する動作を行うようになる。
【００４８】
図６は前述したような構成を有する本発明に係るシャッター開閉装置の適用によって外装ケース１１０のスリム化作製が可能になって、壁掛け型やスタンド型に使用できる、いわばスリム型ビームプロジェクタ２００を例示したものである。
【００４９】
本発明の精神や範囲から逸脱することなしに、本発明の説明された好ましい実施例に対して様々な修正や変形がなされ得ることは当業者には明らかである。それ故に、本発明は、特許請求の範囲およびその等価物と整合性が取れた全ての修正や変形をカバーすることが意図されている。さらに、用語「含む」が詳細な説明や特許請求の範囲で用いられる限りにおいて、そのような用語は、特許請求の範囲においてトランジッショナル・ワード（transitional word）として用いられるとき、用語「備える」と類似することが意図される。
【図面の簡単な説明】
【００５０】
【図１】従来のビームプロジェクタの投射レンズシャッター開閉装置の一例を示した概略的な平面構成図である。
【図２】本発明に係るビームプロジェクタの投射レンズシャッター開閉装置を概略的に示した斜視図である。
【図３】図２の概略的な分解斜視図である。
【図４】本発明に係るビームプロジェクタの投射レンズシャッター開閉装置の動作状態を説明するために示した概略平面図である。
【図５】本発明に係るビームプロジェクタの投射レンズシャッター開閉装置の動作状態を説明するために示した概略平面図である。
【図６】本発明に係るシャッター開閉装置が採用され壁掛け型やスタンド型のスリム型に作製されたビームプロジェクタを例示した概略的外観斜視図である。
【図１】
2008542814.tif 000003
【図２】
2008542814.tif 000004
【図３】
2008542814.tif 000005
【図４】
2008542814.tif 000006
【図５】
2008542814.tif 000007
【図６】
2008542814.tif 000008
【国際調査報告】
2008542814.tif 000009
2008542814.tif 000010